(57)【要約】【課題】複数種のコインが投入されても投入量を検出することができるようにして使い勝手を向上させたコイン積算装置の提供を目的とする。【解決手段】異なった基数が付与されたコイン種ごとに決定された複数のコイン通過路１と、各コイン通過路１に対応して検出回転軸２周りに装着され、歯数比が対応するコイン通過路１を落下するコインの基数の逆数比に一致する複数のラチェットホイール３と、コイン通過路１を落下するコインの衝突力を利用して対応するラチェットホイール３を爪歯１ピッチ分回転させて検出回転軸２を対応角度分回転駆動する送り部４とを有し、前記検出回転軸２の回転角度により投入コインの基数の総和を算出する。【選択図】　図３
2004046602.tif 000002
【特許請求の範囲】
【請求項１】
異なった基数が付与されたコイン種ごとに決定された複数のコイン通過路と、
各コイン通過路に対応して検出回転軸周りに装着され、歯数比が対応するコイン通過路を落下するコインの基数の逆数比に一致する複数のラチェットホイールと、
コイン通過路を落下するコインの衝突力を利用して対応するラチェットホイールを爪歯１ピッチ分回転させて検出回転軸を対応角度分回転駆動する送り部とを有し、
前記検出回転軸の回転角度により投入コインの基数の総和を算出するコイン積算装置。
【請求項２】
異なった基数が付与されたコイン種ごとに決定された複数のコイン通過路と、
重錘の自重による降下に伴って回転する検出回転軸と、
各コイン通過路に対応して前記検出回転軸周りに装着され、歯数比が対応するコイン通過路を落下するコインの基数の逆数比に一致する複数のラチェットホイールと、
前記ラチェットホイールの爪歯に係止して検出回転軸の回転を阻止するアンクルと、
コイン通過路を落下するコインの衝突力を利用して前記アンクルの爪歯との係止を解除し、検出回転軸の回転を、対応するラチェットホイールの爪歯１ピッチ分許可する送り部とを有し、
前記検出回転軸の回転角度により投入コインの基数の総和を算出するコイン積算装置。
【請求項３】
前記最小爪歯数のラチェットホイールは検出回転軸に固定されるとともに、
残余のラチェットホイールは検出回転軸に対して空転自在で、かつ、ラチェットホイール間は、爪歯数のより多いラチェットホイールに装着されたアンクルを介して順次連結され、
最大爪歯数のラチェットホイールの爪歯に係止するアンクルがケーシングに装着される請求項２記載のコイン積算装置。
【請求項４】
異なった基数が付与されたコイン種ごとに決定された複数のコイン通過路に連通するコイン投入部と、
各コイン通過路内を落下するコインを検出した際に前記基数比に基づいて所定角度回転駆動される最終回転位置が予め決定された検出回転軸を有し、
前記検出回転軸の回転角度により投入コインの基数の総和を算出するコイン精算装置であって、
コイン投入部からのコイン投入を禁止するシャッタ部と、
前記検出回転軸とともに回転し、各コイン種に対応する複数の円弧状凹溝が同心に配置された回転体と、
前記各円弧状凹溝を含む円周上に回転体に圧接する摺接部を位置させ、摺接部の円弧状凹溝への落ち込み姿勢において前記シャッタ部をコイン投入禁止状態とするチェックレバーとを有し、
前記各円弧状凹溝は、最終回転位置における各チェックレバーの摺接部対応位置から、各チェックレバーが対応するコイン種の基数未満に対応する角度範囲に形成されるコイン積算装置。
【請求項５】
前記複数の基数が最小基数の整数倍に設定されるとともに、
前記検出回転軸には、最小基数に対する倍数が検出回転軸の最終回転位置側への回転に伴って１ずつ減少する数字列を等ピッチ角度で外周面表示した表示ドラムが連結される請求項１ないし４のいずれかに記載のコイン積算装置。
【請求項６】
予め決定された回転角度で前記検出回転軸周りを回転駆動され、前記ラチェットホイールの爪歯に係止する送り爪が揺動自在に連結されたリセットレバーと、
前記送り爪を爪歯との係止脱離方向に強制移動させる係止解除プロフィールを備えた回転操作可能な円板状カムプレートとを有し、
前記円板状カムプレートを回転操作してリセット操作時における検出回転軸の初期回転位置を可変にした請求項１ないし５のいずれかに記載のコイン積算装置。
【請求項７】
請求項１ないし６のいずれかに記載のコイン積算装置の検出回転軸が最終回転位置になった際に施錠操作が可能なコインロッカー用錠装置。
【発明の詳細な説明】
【０００１】
【発明が属する技術分野】
本発明は、コイン積算装置に関するものである。
【０００２】
【従来の技術】
例えば、所定金額の硬貨を投入することにより使用することができるコインロッカー装置においては、投入された金額の総額を検出する必要があり、コイン積算装置が利用される。
【０００３】
そして、従来、このようなコインロッカー装置に使用されるコイン積算装置としては、特公昭６１−５２００号公報に記載されたものが知られている。この従来例において、コイン積算装置は、コイン投入部から投入された硬貨によりラチェット板に１ピッチの送りをかける。この結果、ラチェット板の初期回転位置からの回転角度が投入されたコインの個数、すなわち投入金額を示し、当該回転軸の回転位置により利用者への金額表示、あるいは施解錠部への操作の制御が行われる。
【０００４】
【発明が解決しようとする課題】
しかし、上述した従来例において、コイン積算装置により扱われるコイン種は一種類のみであるために、例えば、ロッカー使用料金を使用料金を高額、かつ、高額硬貨の整数倍以外の金額に設定した場合には、低額硬貨を多量に投入する必要が生じてしまう等、使い勝手が悪いという問題がある。
【０００５】
本発明は、以上の欠点を解消すべくなされたものであって、複数種のコインが投入されても投入量を検出することができるようにして使い勝手を向上させたコイン積算装置、およびコインロッカー用錠装置の提供を目的とする。
【０００６】
【課題を解決するための手段】
本発明によれば上記目的は、
異なった基数が付与されたコイン種ごとに決定された複数のコイン通過路１と、
各コイン通過路１に対応して検出回転軸２周りに装着され、歯数比が対応するコイン通過路１を落下するコインの基数の逆数比に一致する複数のラチェットホイール３と、
コイン通過路１を落下するコインの衝突力を利用して対応するラチェットホイール３を爪歯１ピッチ分回転させて検出回転軸２を対応角度分回転駆動する送り部４とを有し、
前記検出回転軸２の回転角度により投入コインの基数の総和を算出するコイン積算装置を提供することにより達成される。
【０００７】
コイン積算装置は、複数のコイン種の各々には予め計測のための基数の総和を計測するように構成される。基数は、例えば、硬貨の場合には金額であり、ゲームコイン等では、基準ゲームコインの貸し出し金額に対する倍数として与えられる。
【０００８】
これら種類の異なるコインは、コイン種ごとに予め決定されたコイン通過路１に導かれ、各コイン通過路１が対応するラチェットホイール３の爪歯を１ピッチ送り出し、検出回転軸２を回転させる。
【０００９】
コイン種ごとにコイン通過路１を設定し、かつ、コイン通過路１ごとにコイン種により決定された歯数のラチェットホイール３を設定することにより、簡単な構造で、かつ、複数種のコインを個数だけでなく基数を単位として計測できる。この結果、例えば、コインロッカー用の錠装置等として使用する場合には、多種の硬貨を使用することができるために、使い勝手が向上する。
【００１０】
【発明の実施の形態】
以下、コインロッカー用錠装置として構成された本発明の実施の形態を示す。このコインロッカー用錠装置は、５セント、１０セント、２５セント硬貨（基数が５、１０、２５の３種類のコイン）を投入して所定の利用料金を支払い可能に構成される（金額比１：２：５）。
【００１１】
（１）コイン投入部８の構造
図１に示すように、錠装置は、ケーシング７の正面壁に開設されるスリット形状のコイン投入開口８ａを含むコイン投入部８を有する。コイン投入開口８ａは、投入対象コインの種類に対応して、ケーシング７の正面壁に３個形成され、各々の長さは、投入対象コインが挿通可能で、かつ、投入対象コインより大径のコインが挿通不能な長さに設定される。
【００１２】
また、各コイン投入部８にはシャッタ部９が設けられる。シャッタ部９の第１の機能は、投入対象コインより小径のコイン投入を規制することにあり、図３に示すように、コイン投入開口８ａの上端縁近傍に回転自在に軸支されるコインチェックレバー９ａと、コインチェックレバー９ａの近傍に回転自在に軸支される進入禁止レバー９ｂにより達成される。コインチェックレバー９ａは、回転中心９ａ１近傍に膨隆される検知カム面９ａ２を有し、図４（ａ）に示すように、所定径のコインＡをコイン投入開口８ａに投入すると該投入コインＡが検知カム面９ａ２に摺接してトーションスプリング９ｃの付勢力に抗してコインチェックレバー９ａを図４（ａ）において鎖線で示すコイン検出回転位置まで回転させる。
【００１３】
一方、進入禁止レバー９ｂは、上記コインチェックレバー９ａの作用部９ａ３に当接する当接片９ｂ１と、コイン規制片９ｂ２とを有してＶ字形状に形成される。この進入禁止レバー９ｂは、当接片９ｂ１とコイン規制片９ｂ２との交差部において回転自在に軸支され、コインチェックレバー９ａがコイン未検出回転位置にある際には、コイン規制片９ｂ２がコイン通過路１内に飛び出す。
【００１４】
この状態でコイン投入部８には、コインを投入することはできず、コインの径が所定の径である場合には、コインチェックレバー９ａのコイン検出回転位置側への回転に伴って、進入禁止レバー９ｂも回転し、コイン規制片９ｂ２はコイン通過路１から退避するために、コインの投入が可能となる。
【００１５】
また、上記シャッタ部９の第２の機能は、複数のコイン投入開口８ａへのコインＡの同時投入を防止することにあり、ケーシング７の裏面に配置されるシャッタプレート１６により達成される。シャッタプレート１６は、３個のスロット１６ａが開口された板状体であり、ケーシング７に対してコイン投入開口８ａの配列方向、すなわち横方向に移動可能に装着される。３個のスロット１６ａは、いずれもケーシング７側のコイン投入開口８ａに重合可能で、かつ、いずれかがコイン投入開口８ａに合致した際には、他が完全に合致することのないように形成される。
【００１６】
したがって、図４（ｃ）に示すように、いずれか１のコイン投入開口８ａからコインを投入すると、対応するシャッタプレート１６のスロットが完全に合致し、同時に、他のスロットはコイン投入開口８ａからわずかにずれるために、異なったコイン投入開口８ａから同時にコインを投入することができない。
【００１７】
さらに、上記シャッタ部９の第３の機能は、コイン投入必要残量を考慮し、コイン投入開口８ａを高額コインに対応するものから順次閉塞して釣り銭発生を防止することにあり、例えば、設定金額が５０セントの場合、３０セントを投入して残金額が２０セントとなり、２５セント硬貨が投入されると、５セントの釣り銭が発生するために、この状態で２５セント用のコイン投入開口８ａから硬貨が投入できないようにして釣り銭発生を防止する。
【００１８】
この第３の機能は、上述したコインチェックレバー９ａと進入禁止レバー９ｂとに加えて、円弧状凹溝１０、および残額チェックレバー１２とにより達成される。
【００１９】
残額チェックレバー１２は、図５に示すように、摺接部１２ａと作動片１２ｂとを有し、摺接部１２ａが後述する回転体１１の側壁を押圧する方向に付勢されて回転自在に軸支される。摺接部１２ａは、回転体１１の側壁に対して相対移動する際の摺動抵抗の発生を防止するために、回転ローラにより形成される。これら残額チェックレバー１２はコイン投入開口８ａの個数に対応して３個、各々独立して移動自在に配置される。
【００２０】
一方、円弧状凹溝１０は、金額表示ドラム１３を兼用する回転体１１の側壁面に形成される。後述するように、回転体１１は、検出回転軸２とともに、投入されたコインの種類により異なった回転角で回転駆動するように構成されており、上記円弧状凹溝１０は、回転体１１の側壁に形成される。円弧状凹溝１０は、残額チェックレバー１２の数に対応して３個形成される。これら３個の円弧状凹溝１０は、各々回転体１１が所定回転位置まで回転した際に残額チェックレバー１２の摺接部１２ａが落ち込む位置に設けられ、上記残額チェックレバー１２の作動片１２ｂは、摺接部１２ａが円弧状凹溝１０に落ち込んだ状態で、図４、５に示すように、コインチェックレバー９ａの移動経路上に侵入し、該コインチェックレバー９ａの移動を禁止する。
【００２１】
したがって、この実施の形態において、コインロッカー装置を使用する際には、回転体１１は、残額チェックレバー１２の摺接部１２ａと円弧状凹溝１０とが合致しない初期回転位置に保持される。この状態から所定金額のコインをコイン投入開口８ａに投入すると、回転体１１は所定角度回転し、投入されたコインの金額と、設定金額との差額が高額コインの金額より低い場合には、まず、高額コイン投入開口８ａに対応する残額チェックレバー１２の摺接部１２ａのみが回転体１１の円弧状凹溝１０に合致し、以後、高額コインのコイン投入開口８ａを閉塞する。このようにして、コイン投入開口８ａは、高額、中額、低額の順に順次閉塞され、設置金額分投入されると、すべてのコイン投入開口８ａが閉塞される。
【００２２】
以上の結果、設定金額を高額、中額、低額コインの倍数の和に設定しておくと、釣り銭の発生がなく、釣り銭払い出しの機構を要しないために構造が簡単で、かつ、故障も少ない。
【００２３】
（２）駆動エネルギ蓄積部の構造
以上のようにしてコイン投入部８から投下された所定種類のコインはコイン投入開口８ａに各々連通したコイン通過路１を落下し、コイン種に応じた回転角度で検出回転軸２を回転駆動する。無電源環境での運転を可能にするために、検出回転軸２の回転駆動エネルギは、重錘５を利用した駆動エネルギ蓄積部１７から供給される。
【００２４】
図６に駆動エネルギ蓄積部１７の構造を示す。この駆動エネルギ蓄積部１７は、上記重錘５と、重錘５の自重による降下移動を検出回転軸２の回転運動に変換するためのピニオンギア１８とを有する。重錘５は、ケーシング７側のガイドピン７ａに沿って鉛直方向にのみ移動自在であり、鉛直方向に形成されるラック５ａに検出回転軸２に固定されたピニオンギア１８が噛合する。重錘５の降下は、後述する送り部４により規制されており、該送り部４における拘束を解除すると、重錘５の位置エネルギが解放される状態で検出回転軸２が回転駆動される。
【００２５】
また、図６（ａ）に示すように、重錘５が下方ストロークの終端に達して位置エネルギが費消された状態で、リセットアーム１９を上方に引き上げると、検出回転軸２に固定されたリセットレバー１４に立設され、リセットアーム１９の長孔１９ａに挿入されたドライブピン１４ｂが上方に押し上げられるために、リセットレバー１４が回転駆動される。リセットレバー１４は、トーションスプリング２０により先端が後述する５セントギア（ラチェットホイール３）の外周に圧接される送り爪１４ａを備えており、リセットレバー１４が回転駆動されると、送り爪１４ａが５セントギア４Ｃの爪歯に係止して該５セントギア３Ｃを回転させ、これに伴って重錘５が初期位置まで引き上げられてエネルギが蓄積される。
【００２６】
送り爪１４ａは、後述する円板状カムプレート１５（金額設定カム）により決定されたリセットレバー１４の回転範囲においてのみ５セントギア３Ｃと噛合し、金額設定カム１５の係止解除プロフィール１５ａに達すると、係止を解除して５セントギア３Ｃのドライブを行うことなく、リセットレバー１４のみが回転駆動される。
【００２７】
所定の設定金額に達するまでコインを投入することを条件としてシリンダ錠２１による施錠操作が許容されるように設計されたこの実施の形態において、重錘５は初期位置において客待ち状態となり、利用者によるコイン投入に伴って重錘５が降下し、シリンダ錠２１による施錠操作可能位置において下方ストローク終端位置に達する。特別の動力を要することなく駆動エネルギ蓄積部１７への位置エネルギの再チャージを可能とするために、上述したリセットアーム１９の上方への引き上げ操作は、利用者によるシリンダ錠２１への解錠操作に対応させられており、図６（ｂ）に示すように、シリンダ錠２１への回転操作力（移動肩θ）は、シリンダレバー２２を経由してキーアームリンクバー２３の持ち上げ力（移動量δ）に変換された後、該キーアームリンクバー２３、およびキーアームリンクバー２３と一体に動作するロックバー２４に伝達され、さらに、後述するクラッチ部２５を介してリセットアーム１９に伝達される。
【００２８】
なお、図６（ｂ）において２２ａはシリンダレバー２２に固定される作動ピン、２３ａは作動ピン２２ａの回転力をキーアームリンクバー２３の持ち上げ力に変換するために上記作動ピン２２ａが遊嵌する長孔、１９ｂはリセットアーム１９に突設される連結ピンを示す。
【００２９】
（３）送り部４の構造
以上のようにして駆動エネルギ蓄積部１７に蓄積された駆動エネルギは、送り部４において解放され、コイン種ごとに異なった角度で検出回転軸２を回転駆動する。
【００３０】
送り部４は、図７に示すように、検出回転軸２周りに装着される３個のラチェットホイール３と、ラチェットホイール３の爪歯に係止し、ラチェットホイール３の回転を規制するアンクル６と、アンクル６の係止を解除するアンクル解除部２６とを有する。ラチェットホイール３は、投入コイン種ごとに設けられ、その歯数比は、投入されるコインの基数（金額）の逆数比に一致する。すなわち、図７において、小径のものから順次、２５セント硬貨、１０セント硬貨、５セント硬貨に対応し（以後これらのラチェットホイール３を、互いに区別して示すときは、２５セントギア３Ａ、１０セントギア３Ｂ、５セントギア３Ｃと呼ぶ。）、これらの歯数比は、１／２５：１／１０：１／５＝２：５：１０に設定される。
【００３１】
これらラチェットホイール３は、検出回転軸２の長手方向に積層状に配置され、検出回転軸２に対して、２５セントギア３Ａは固定されて検出回転軸２とともに回転するのに対し、１０セントギア３Ｂ、５セントギア３Ｃは検出回転軸２に対して空転可能とされる。
【００３２】
アンクル６は、各ラチェットホイール３に対応して３個配置される。各々のアンクル６は、一端にラチェットホイール３の爪歯に係止する係止部６ａを備え、２５セントギア３Ａの爪歯に係止するアンクル６Ａは、１０セントギア３Ｂ上に、１０セントギア３Ｂの爪歯に係止するアンクル６Ｂは、５セントギア３Ｃ上に、５セントギア３Ｃの爪歯に係止するアンクル６Ｃはケーシング７に各々揺動自在に軸支される。これら各アンクル６にはトーションスプリング６ｂが装着され、係止部６ａがラチェットホイール３の外周に圧接する方向に付勢される。
【００３３】
したがってこの実施の形態において、上述したように、検出回転軸２は駆動エネルギ蓄積部１７により初期回転力が与えられており、２５セントギア３Ａ用のアンクル６Ａの係止を解除すると、５セントギア３Ｃはケーシング７上の５セントギア３Ｃ用のアンクル６Ｃにより回転を規制されており、かつ、該５セントギア３Ｃ上のアンクル６Ｃにより１０セントギア３Ｂもロック状態にあるために、５セントギア３Ｃのみが回転し、同時に検出回転軸２も回転する。これに対し、１０セントギア３Ｂ用のアンクル６Ｂを解除すると、５セントギア３Ｃがロック、１０セントギア３Ｂと２５セントギア３Ａとが２５セントギア３Ａ用のアンクル６Ａを介して連結状態にあるために、５セントギア３Ｃと１０セントギア３Ｂとが同時に回転し、同様に、５セントギア３Ｃ用のアンクル６Ｃを解除した場合には、すべてのラチェットホイール３が一体となって回転する。
【００３４】
上記アンクル６を解除するためのアンクル解除部２６は、各アンクル６に設けられた解除ピン６ｃと、各コイン通過路１内の下方にコイン衝突片２７ａを突出させて空転自在に軸支されるコインキックプレート２７（図３参照）と、コインキックプレート２７の動作を解除ピン６ｃに伝達する解除動作伝達部２８とを有して構成される。
【００３５】
各コインキックプレート２７は、検出回転軸２周りに空転自在に装着され、図３に示すように、コインをコイン衝突片２７ａに直角衝突させることによってコインの落下時の運動エネルギをコインキックプレート２７の回転エネルギに効率良く変換できるように、コイン衝突片２７ａは、コインの落下経路に対して直角に配置される。
【００３６】
また、コインの落下時の運動エネルギの効率利用のために、コインキックプレート２７の慣性モーメントは投下コインの慣性モーメントに一致するように設計される。さらに、この場合、コインキックプレート２７の形状、とりわけコイン衝突片２７ａの位置は、コインキックプレート２７のコイン衝突片２７ａに衝突した後、一旦停止し、その後自由落下するコインとの干渉が発生することのないように、図において鎖線で示す位置に十分な速度で変位するように設定される。
【００３７】
図８に１０セントギア３Ｂ用のアンクル６Ｂの解除動作伝達部２８を示す。この解除動作伝達部２８は、検出回転軸２と同軸周りに空転自在で、コインキックピン２９ａと連結ピン２９ｂとが突設された伝達プレート２９と、検出回転軸２と同軸周りで、ケーシング７に固定されるカムベース３０とからなる。伝達プレート２９のコインキックピン２９ａは、図３に示すように、コインキックプレート２７の回転領域に突出しており、コインキックプレート２７の回転とともに、伝達プレート２９は図８（ａ）において鎖線で示すように回転する。
【００３８】
一方、カムベース３０は、図８（ｂ）、（ｃ）に示すように、検出回転軸２の長手方向に積層状に２枚配置されており、各々に２枚の拡径カムレバー３１が連結される。拡径カムレバー３１はカムベース３０上に立設される枢軸３０ａ周りに一端が回転自在に連結されており、他端に開設された長孔３１ａに上記伝達プレート２９の連結ピン２９ｂが遊嵌される。この拡径カムレバー３１は、検出回転軸２と同心の円弧状外周面３１ｂを有しており、径方向に長い長孔３１ａ内を連結ピン２９ｂが周方向に移動すると、各拡径カムレバー３１の円弧状外周面３１ｂは、図８（ｃ）に示すように、径方向に移動し、あたかも外周が拡径したのと同様の状態となる。
【００３９】
このように拡径方向に移動した拡径カムレバー３１は、アンクル６の解除ピン６ｃを外方に排斥するように移動させるために、アンクル６によるラチェットホイール３の拘束が解除され、ラチェットホイール３は検出回転軸２に与えられた初期回転力により回転する。アンクル６に装着されたトーションスプリング６ｂの応答性が十分に高いならば、アンクル６は一旦解除状態となった後、トーションスプリング６ｂの復元力により直ちに原位置に復帰し、爪歯１ピッチごとの送り動作が保証される。
【００４０】
以上、１０セントギア３Ｂ用のアンクル６の解除動作伝達部２８を例にとったが５セントギア３Ｃにおいても、図９（ａ）〜（ｄ）に示すように、全く同様であり、コインキックプレート２７が伝達プレート２９のコインキックピン２９ａを移動させると、図９（ｃ）に示すように、拡径カムレバー３１が拡径方向に移動する。
【００４１】
上述したように、１０セントギア３Ｂ、および２５セントギア３Ａ用のアンクル６は、ケーシング７に対する位置が変化するために、位置変化があっても解除ピン６ｃへのアクセスが可能な拡径カムレバー３１が解除動作伝達部２８として採用されるのに対し、ケーシング７に対してアンクル６の位置が変化しない５セントギア３Ｃ用の解除動作伝達部２８は、図９（ｅ）に示すように、より簡単に構成される。すなわち、この解除動作伝達部２８は、ケーシング７に対して枢軸２８ａにおいて回転自在に連結されるＬ字状のレバーにより構成され、コインキックプレート２７がコインキックピン２９ａを移動させると、解除ピン６ｃはレバーにより押されてアンクル６の解除動作が行われる。
【００４２】
（４）金額表示部の構造
以上のように、コイン投入開口８ａへのコインの投入によって検出回転軸２は、コインの基数（金額）に相当する角度だけ回転し、回転角度が投入合計金額に対応する。金額表示部はこれを利用者に知らせるために設けられ、外周部に金額を表示した表示ドラム１３によって構成される。図６（ａ）に示すように、表示ドラム１３は、重錘５に形成されたドラム駆動用のラック５ｂにピニオンギア１３ａを噛合させることによって、重錘５の昇降に同期して回転駆動される。これらラックｂとピニオンギア１３ａの歯数比は、上述した検出回転軸２におけるそれに一致しており、重錘５の降下による表示ドラム１３の回転角度は、検出回転軸２のそれに一致する。
【００４３】
表示ドラム１３における金額表示は、外周部に所定ピッチで表示され、０から、１ピッチ増加するごとに、最小金額の整数倍の数字を倍数を１だけ順次増加させた数字が表示される。また、表示金額の増加方向は、重錘５の上昇による表示ドラム１３の回転方向に一致する。表示ドラム１３の全外周を金額表示面として利用するこの実施の形態において、表示金額は０，５，１０，・・・５×ｎ（整数）で、表示金額間のピッチ角は、３６０°／ｎ（°）に設定される。
【００４４】
以上の表示ドラム１３は、重錘５が下方ストローク終端に位置する際にケーシング７に開設された金額表示窓７ｂから”０”が表示されるように設定される（図１参照）。
【００４５】
したがってこの実施の形態において、重錘５を所定の初期設定高さに保持した状態で金額表示窓７ｂには利用料金が表示される。コインを投入すると、コイン種に対応するラチェットホイール３が１ピッチ回転し、重錘５が降下する。重錘５の降下により、表示ドラム１３は回転して投入金額に相当する角度だけ表示金額が減少する。減少量は検出回転軸２の回転角、すなわちコイン種に対応し、５セント硬貨を投入した場合は５セント、１０セント硬貨を投入した場合は１０セントというように、投入金額に一致する。この結果、金額表示窓７ｂには、残金額が表示されることとなり、利用者がさらに、表示金額が”０”になるまでコインを投入すると、シリンダ錠制御部３２が施解錠許可状態となる。
【００４６】
（５）シリンダ錠制御部３２の構造
シリンダ錠制御部３２は、図１０、１１に示すように、ロックバー２４と、表示ドラム１３の側壁面に凹設されるロック位置検出凹部３３と、ロック位置検出レバー３４とを有する。ロックバー２４は、図１０に示すように、上述したキーアームリンクバー２３に積層状に配置され、該キーアームリンクバー２３に一体的に連結される。このロックバー２４には、上方に２個のロック用係止凹部２４ａが形成され、ケーシング７側のガイドピン７ａと、ロックバー２４側のガイド溝２４ｂにより上下方向移動自在に装着される。
【００４７】
ロック位置検出レバー３４は、一端にローラ３４ａを備えるとともに他端に上記ロック用係止凹部２４ａに嵌合可能なロック用折り返し３４ｂを備え、表示ドラム１３の側方において枢軸３４ｃ周りに回転自在に軸支される。このロック位置検出レバー３４は、トーションスプリング３４ｄによりローラ３４ａが表示ドラム１３の側壁を圧接する方向に付勢される。
【００４８】
一方、ロック位置検出凹部３３は、重錘５が下方ストローク終端位置にあるときの表示ドラム１３の回転位置において上記ローラ３４ａが落ち込む位置に形成され、ローラ３４ａが落ち込んだ状態で、上記ロック位置検出レバー３４のロック用折り返し３４ｂは、図１１（ｂ）に示すように、ロックバー２４の移動平面上から退避する。
【００４９】
したがってこの実施に形態において、シリンダ錠２１が解錠回転位置にあるとき、すなわち、後述するように、解錠キー３５がシリンダ錠２１に差し込まれた客待ち状態においては、ロックバー２４は、キーアームリンクバー２３の上昇動作とともに上方に引き上げられて下方のロック用係止凹部２４ａがロック位置検出レバー３４のロック用折り返し３４ｂに正対する。この状態で、重錘５は初期位置まで引き上げられており、表示ドラム１３のロック位置検出凹部３３とロック位置検出レバー３４のローラ３４ａは対応することなく、ローラ３４ａは表示ドラム１３の側壁面上に乗り上げているために、ロック用折り返し３４ｂはロック用係止凹部２４ａに係止し、ロックバー２４はロックされる。この結果、シリンダ錠２１に差し込まれた解錠キー３５を操作してもシリンダ錠２１内のシリンダプラグ２１ａを施錠回転位置まで回転させてロッカーを施錠することはできない。
【００５０】
これに対し、上記客待ち状態から利用者が所定料金を投入し、設定料金の硬貨投入が完了すると、重錘５は下方ストローク終端位置まで移動し、同時に表示ドラム１３も対応位置まで回転する。この位置において、ロック位置検出凹部３３とローラ３４ａが合致する結果、ロック用折り返し３４ｂはロック用係止凹部２４ａから脱離し、シリンダ錠２１への操作が可能になる。
【００５１】
この後、シリンダ錠２１を施錠回転位置まで回転操作してロッカーを使用している状態においては、図１０に示すように、ロックバー２４は下方ストローク終端位置まで降下し、上方のロック用係止凹部２４ａがロック位置検出レバー３４のロック用折り返し３４ｂに対応する。この状態において、重錘５が下方ストローク終端にある場合には、ローラ３４ａはロック位置検出凹部３３に落ち込んでいるために、ロックバー２４はアンロック状態にあり、利用者はシリンダ錠２１を操作して解錠操作を行うことができる。
【００５２】
一方、この状態で、後述する日送り操作をした場合には、表示ドラム１３は強制回転駆動されるために、ロック用折り返し３４ｂはロック用係止凹部２４ａに落ち込んで、以後、ローラ３４ａがロック位置検出凹部３３に合致するまで、すなわち、所定の日送り料金を投入しない限り、シリンダ錠２１の操作を行うことができない。
【００５３】
（６）施解錠部の構造
次に、ロッカー扉の施解錠部の構造について説明する。施解錠部は、ケーシング７の正面壁に固定されるシリンダ錠２１と、デッドボルト３６とを有する。シリンダ錠２１は、図１４に示すように、シリンダケース２１ｂ内にシリンダプラグ２１ａを回転自在に挿入して形成される。シリンダプラグ２１ａは真正な解錠コードを有する解錠キー３５によってのみ回転操作可能であり、シリンダプラグ２１ａに加えられた回転操作は、シリンダプラグ２１ａに固定されたシリンダレバー２２に連結されたデッドボルトリンクバー３７、および回転軸３８ａ周りに回転自在なベルクランク３８を介してデッドボルト３６に伝達される。図１２はデッドボルト３６がケーシング７から飛び出した施錠状態を示すもので、この状態からシリンダプラグ２１ａを図１２において反時計方向に回転させると、デッドボルト３６がケーシング７内に収容される解錠状態とすることができる。
【００５４】
さらに、この実施の形態において、ロッカー用錠装置は、ドアセンサ機構を備える。ドアセンサ機構は、図１３に示すように、ドアセンサバー３９と、上記ベルクランク３８に形成されるドアセンサ片３８ｂとから構成される。ドアセンサバー３９は、チェック用先端部３９ａと、干渉部３９ｂとを有してケーシング７に対して横方向に移動自在であり、図１３に示すように、コイルスプリング３９ｃにより付勢されてチェック用先端が３９ａケーシング７側壁から飛び出す位置に保持される。このドアセンサバー３９は、ロッカー扉が閉塞された状態においてチェック用先端３９ａがケーシング７内に押し戻される位置に配置される。
【００５５】
干渉部３９ｂは、チェック用先端部３９ａがケーシング７から飛び出した位置において、ベルクランク３８の回転軌跡に干渉し、チェック用先端部３９ａのケーシング７内への退避位置において干渉位置から退避する位置に形成される。この結果、ロッカー扉が開放された状態、すなわち、チェック用先端が飛び出した状態では、図１２に示す施錠状態においては、ドアセンサ片３８ｂの上方への移動が干渉部３９ｂにより阻まれるために、解錠操作を行うことができない。また、解錠位置においては、ドアセンサ片３８ｂは干渉部３９ｂを挟んで上方に移動しており、この状態においても、干渉部３９ｂはドアセンサ片３８ｂの下方への移動を阻止するために、施錠操作が禁止される。
【００５６】
（７）リセット選択部の構造
以上のように、錠装置は、設定金額まで硬貨を投入して重錘５を下方ストローク終端位置にまで移動させることによりシリンダ錠２１の施錠操作を可能にし、使用後には、利用者の解錠操作を利用して重錘５を初期位置まで引き上げて客待ち状態に復帰させるサイクルを繰り返すものであるが、利用者の解錠操作と初期状態への復帰動作を直接関連付けると、例えば、一旦施錠状態にした後、荷物の入れ忘れに気が付いて解錠操作を行うと、初期状態に復帰してしまい、再び利用料金の支払いが必要となるという問題がある。リセット選択部は、かかる不具合を解消するための機構であり、利用者に対して、解錠キー３５抜去前であることを条件に、初期状態への復帰動作がなされることのない施解錠操作を許容する。
【００５７】
このリセット選択部は、図１４に示すキーチェック部４０と、図１５に示すクラッチ部２５とからなる。キーチェック部４０は、圧縮スプリング４１により付勢されてシリンダプラグ２１ａ内に突出するキーチェック杆４２と、大小のラチェットホイール４３ａ、４３ｂを一体にした二段ラチェットホイール４３と、キーチェック杆４２に回転自在に連結されるフック部材４４とを有する。図１４（ａ）に示す解錠キー３５未挿入状態から解錠キー３５をシリンダプラグ２１ａに挿入すると、キーチェック杆４２は解錠キー３５に押されて後方に移動し、フック部材４４は小ラチェットホイール４３ｂを図１４（ｂ）において反時計回りに回転させる。小ラチェットホイール４３ｂの回転に伴って大ラチェットホイール４３ａも回転し、これに伴って枢軸４５ａ周りに回転自在な検知出力杆４５は、検知ボス４５ｂが大ラチェットホイール４３ａの爪歯に押されるために、図１４（ｂ）において鎖線で示すように、一瞬傾動するように回転した後、再び初期の水平姿勢に復帰する。
【００５８】
これに対し、図１４（ｂ）に示す解錠キー３５挿入状態から解錠キー３５を抜去した場合には、キーチェック杆４２は、圧縮スプリング４１の復元力により前方に移動し、シリンダプラグ２１ａ内に侵入する。このキーチェック杆４２の復帰行程において、フック部材４４は枢軸４４ａ周りに回転しながら小ラチェットホイール４３ｂの爪歯上を乗り越えるだけで、二段ラチェットホイール４３を回転駆動することはできないために、検知出力杆４５の傾動動作は発生しない。
【００５９】
一方、クラッチ部２５は、クラッチアーム４６と、フロップレバー４７とを有する。クラッチアーム４６は、リセットアーム１９の連結ピン１９ｂの嵌合孔４６ａを有し、ロックバー２４に回転自在に連結される。また、このクラッチアーム４６は、フリップスプリング４８により図１５（ａ）において実線で示す接続解除位置と、鎖線で示す接続位置との間のいずれかを取り、接続位置において連結ピン２９ｂに嵌合孔４６ａを嵌合させてロックバー２４とリセットアーム１９とを連結する。
【００６０】
図１５（ａ）はクラッチアーム４６の接続位置側への移動を示すもので、上記キーチェック部４０においてシリンダ錠２１への解錠キー３５の挿入が検出されて検知出力杆４５が図１５（ａ）において鎖線で示す位置まで傾動して移動すると、クラッチアーム４６は背面が押されてフリップスプリング４８の作用により接続位置に移動し、以後、この状態を保持する。
【００６１】
一方、フロップレバー４７は、図１５（ｂ）に示すように、トーションスプリング４７ａによりケーシング７側に付勢されて回転自在に連結される。フロップレバー４７の回転軸４７ｂは、クラッチアーム４６上に立設されたピン４６ｂの回転軌跡より上方に配置されており、クラッチアーム４６の接続位置側への移動に際するピン４６ｂとの干渉が防止される。
【００６２】
いま、クラッチアーム４６によりロックバー２４とリセットアーム１９とが連結された状態でこれらロックバー２４等を上方に引き上げると、ピン４６ｂはフロップレバー４７を図１５（ｂ）において鎖線で示す位置まで回転させながら上昇でき、クラッチアーム４６の姿勢は維持される。この後、再びロックバー２４等が降下すると、ピンは、図１５（ｂ）において矢印Ａで示すように、トーションスプリング４７ａの復元力によりケーシング７壁面に先端が接触状態にあるフロップレバー４７の背面壁に沿って斜め下方に移動することから、クラッチアーム４６は接続解除位置に移動する。
【００６３】
したがってこの実施の形態において、クラッチ部２５は、解錠キー３５を抜去し、再び解錠キー３５を挿入した場合にのみ接続状態となるために、客待ち状態から所定金額の硬貨を投入し、一旦施錠操作を行った後でも、解錠キー３５を抜去しない限り、リセットアーム１９とロックバー２４は連結されないために、ロックバー２４のみを単独で操作し、施解錠操作を行うことができる。
【００６４】
（８）管理者操作部の構造
錠装置は、管理者操作部を備える。管理者操作部は、図１（ａ）に示すように、ケーシング７の正面壁に固定され、管理者が所有する解錠キーによってのみ回転操作が可能な管理者キー装置４９への回転操作によって実現されるもので、管理者キー装置４９への回転操作角度によって各種機能が選択される。この実施の形態において、解錠キーの抜き差しが可能な中立回転位置（図１（ａ）において矢印で示す）から反時計回りに、強制施錠操作、キー交換操作、および日送り操作の順に機能が割り付けられ、さらに、中立回転位置から時計回りに強制解錠操作、値上げ操作、値下げ操作、ケーシング７着脱操作の各機能が割り付けられる。
【００６５】
（８．１）強制施解錠部の構造
図１６、１７に示すように、強制施解錠部は、管理用カムプレート５０と、ケーシング７に対して横方向に移動自在なデッドボルトコントロールバー５１とを有して構成される。管理用カムプレート５０は、管理者キー装置４９への回転操作に伴って回転するピニオンギア４９ａに噛合して上下駆動され、下端部に施解錠プロフィール５０ａが形成される。施解錠プロフィール５０ａは、平行四辺形の対向辺から上下に直線部を延長させた形状に形成され、該施解錠プロフィール５０ａ内に、横方向に移動自在なデッドボルトコントロールバー５１から突設されるピン５１ａが挿入される。また、デッドボルトコントロールバー５１には、上述した施解錠部のベルクランク３８に貫通するピン５１ｂが挿入される。
【００６６】
中立回転位置から反時計回りに強制施錠操作、時計回りに強制解錠操作が配置されるこの実施の形態において、図１６、１７に示す施錠状態から、強制解錠操作を行うと、管理用カムプレート５０は上昇し、ピン５１ａは施解錠プロフィール５０ａの解錠側辺縁５０ａ１に押されて図１６において左側に移動する。このピン５１ａの移動により、ベルクランク３８は、ピン５１ｂに押されて図１７において反時計回りに回転し、デッドボルト３６はケーシング７内に退避する。
【００６７】
これに対し、管理者キー装置４９を反時計回りに回転操作し、管理用カムプレート５０を降下させても、デッドボルトコントロールバー５１のピン５１ａは側方に押されることがないために、デッドボルト３６の状態変化は生じることはなく、デッドボルト３６が解錠位置にある場合、すなわち、ピン５１ａが図１６において左側にある場合にのみ施錠側辺縁に押されて施錠位置までドライブされる。
【００６８】
（８．２）キー交換部の構造
キー交換部は、シリンダ錠２１の交換をケーシング７の取り外しを要することなく行うことができるように設定されるもので、図１７に示すように、上記管理用カムプレート５０と、キーロックコントロールバー５２と、キーロックアーム５３とを有して構成される。
【００６９】
キーロックコントロールバー５２は、ケーシング７に対して横方向移動自在であり、このキーロックコントロールバー５２上に立設されるコントロールピン５２ａが管理用カムプレート５０のキー交換プロフィール５０ｂに遊嵌される。
【００７０】
一方、キーロックアーム５３は、回転自在にケーシング７に連結される。このキーロックアーム５３はケーシング７に対する枢軸５３ａと反対端にシリンダケース保持部５３ｂを有しており、図１７に示すように、シリンダケース保持部５３ｂがシリンダケース２１ｂに嵌合した状態においてシリンダ錠２１をケーシング７から脱離不能に保持する。
【００７１】
さらに、上記キーロックアーム５３には、アームピン５３ｃが立設されて上記キーロックコントロールバー５２に嵌合しており、図１６に示すように、キー交換を行うために、管理者キー装置４９を反時計回りに回転操作すると、管理用カムプレート５０は降下し、コントロールピン５２ａがキー交換プロフィール５０ｂの押動辺５０ｂ１に押され、キーロックコントロールバー５２が図１７において左方向に移動する。キーロックコントロールバー５２が移動すると、キーロックアーム５３は枢軸５３ａ周りに時計回りに回転し、シリンダケース保持部５３ｂとシリンダケース２１ｂとの嵌合が解除し、この状態で、シリンダ錠２１をケーシング７から正面方向に引き出し抜去することができる。
【００７２】
（８．３）日送り部４の構造
日送り部４は、所定の使用期間単位、例えば日単位を繰り越した場合、新たに繰り越し分の使用料金を投入しなければ解錠操作ができないようにするもので、上記管理用カムプレート５０と日送りアーム５４とを有して構成される。日送りアーム５４は管理用カムプレート５０の側方においてケーシング７に回転自在に枢支されており、枢軸５４ａを挟んで一端部に被押圧辺５４ｂが形成され、他端部に長孔のピン挿通孔５４ｃが開設される。このピン挿通孔５４ｃには、図６（ａ）に示すように、リセットアーム１９に立設された日送りピン１９ｃが挿通される。
【００７３】
日送り操作のために管理者キー装置４９を反時計回りに回転操作すると、管理用カムプレート５０は降下し、管理用カムプレート５０上に立設した日送りアームピン５０ｃが被押圧辺５４ｂを押し下げることから、日送りアーム５４が図１８において実線位置から鎖線位置まで反時計回りに回転する。日送りアーム５４への回転力は、図６に示すように、リセットアーム１９への上方への駆動力として伝達され、リセット操作と同様の操作が行われる。
【００７４】
（８．４）値上げ、値下げ操作部の構造
値上げ、値下げ操作部は、錠装置の運用途中であっても、ケーシング７交換、あるいは取り外し等をすることなく設定料金の上下操作を行うことを可能にする。
【００７５】
まず、値上げ操作部は、図１９に示すように、管理用カムプレート５０と、金額設定カム１５と、ドアセンサバー３９に連結されるカム送りバー５５と、ストッパレバー５６とを有して構成される。金額設定カム１５は、係止解除プロフィール１５ａを挟んで上半分に２５セントギア３Ａと同一の爪歯が、下半分にこれと送り方向が逆方向の爪歯が形成されるとともに、その境界部に所定範囲で複数の円弧状凹部１５ｂが形成される。
【００７６】
カム送りバー５５は、ドアセンサバー３９とともにケーシング７の横方向に移動自在であり、上端にインクリメントフック５７が回転自在に連結される。このインクリメントフック５７は、先端に金額設定カム１５の爪歯に係止して図１９において反時計回り、正確には、リセット操作時のラチェットホイール３の回転方向に回転させる送り爪部５７ａを備え、トーションスプリング５８により送り爪部５７ａが金額設定カム１５の外周を圧接する方向に付勢される。
【００７７】
また、上記インクリメントフック５７に対応してインクリメントフック制御リンク５９がケーシング７に回転自在に連結される。このインクリメントフック制御リンク５９は、一端部に突設したピン５９ａが管理用カムプレート５０のインクリメントプロフィール５０ｄに嵌合し、他端がインクリメントフック５７の制御片５７ｂに当接する。
【００７８】
ストッパレバー５６は、一端に上記金額設定カム１５の円弧状凹部１５ｂに係止可能な係止突部５６ａを有してケーシング７に回転自在に軸支される。このストッパレバー５６にはトーションスプリング５６ｂが装着され、係止突部５６ａが円弧状凹部１５ｂに圧接する。また、このストッパレバー５６の背面には、中心部がケーシング７に回転自在に軸支され、一端に突設したピン６０ａが管理用カムプレート５０のストッパ用プロフィール５０ｅに嵌合される押さえレバー６０の他端が配置される。
【００７９】
上記管理用カムプレート５０の各プロフィールは各部材が以下のように動作するように決定される。すなわち、通常の運用状態、すなわち、管理用カムプレート５０が移動しない状態において、図１９に示すように、インクリメントフック制御リンク５９はインクリメントフック５７の制御片５７ｂに当接することにより、送り爪部５７ａを爪歯から離間させ、また、押さえレバー６０はストッパレバー５６の背面に移動不能に位置し、ストッパレバー５６の係止突部５６ａと金額設定カム１５の円弧状凹部１５ｂとの係止解除が規制される。
【００８０】
この状態で、ドアセンサバー３９を押し込んでも金額設定カム１５が回転駆動されることはなく、さらに、通常の運用状態において、金額設定カム１５が不用意に回転してしまうこともない。
【００８１】
この状態から、管理者キー装置４９を操作して値上げ操作を行うと、図２０に示すように、管理用カムプレート５０は上昇し、インクリメントフック制御リンク５９のピン５９ａはインクリメントプロフィール５０ｄの規制解除斜辺５０ｄ１に押し付けられて図２０において反時計回りに回転する。この状態で、インクリメントフック５７の離間方向の支えが失われ、送り爪部５７ａがトーションスプリング５８の復元力により金額設定カム１５、および上述した２５セントギア３Ａの爪歯に係止する。
【００８２】
同時に、押さえレバー６０は、ストッパレバー５６の背面から離間し、ストッパレバー５６の係止突部５６ａと金額設定カム１５の円弧状凹部１５ｂとの係止解除が可能になる。
【００８３】
この状態において、ドアセンサバー３９をケーシング７内に押し込むと、金額設定カム１５と２５セントギア３Ａはリセット動作時の回転方向に１歯分回転する。この動作は、検出回転軸２の初期回転角度、すなわち、初期金額を上昇させることになるために、結果、値上げ操作が行われる。
【００８４】
これに対し、値下げ操作部は、上述した値上げ操作部におけるインクリメントフック５７、およびインクリメントフック制御リンク５９をデクリメントフック６１とデクリメントフック制御リンク６２に変更して得られる。デクリメントフック６１とインクリメントフック５７との相違は、デクリメントフック６１は、爪歯との係止状態において金額設定カム１５と２５セントギア３Ａとを硬貨投入時の回転方向に回転駆動する点にあり、それ以外は同様に動作する。なお、図２１に値下げ操作時の各部材の位置関係を示す。
【００８５】
（８．５）ケーシング着脱操作部の構造
ケーシング７着脱部は、図１６、１７に示すように、上記管理用カムプレート５０と、ケーシングロックアーム６３と、ケーシング着脱レバー６４とを有して構成される。ケーシングロックアーム６３は、ケーシング７の上端縁から進退自在にケーシング７に装着され、一端部に横方向長いピン受容長孔６３ａが開設される。
【００８６】
一方、ケーシング着脱レバー６４は中心部においてケーシング７に回転自在に軸支され、一端部に立設されたアーム連結ピン６４ａが上記ピン受容長孔６３ａに挿通される。また、ケーシング着脱レバー６４の他端部にはカムプレートピン６４ｂが立設され、管理用カムプレート５０のケーシング着脱プロフィール５０ｆに挿通される。
【００８７】
ケーシング７は、下端から突設される係止用突片７ｃを筐体に係止させた後、係止部位を回転中心として後方に回転させた後、上記ケーシングロックアーム６３を筐体に係止させて固定されており、ケーシング７着脱操作を行うために、管理者キー装置４９を時計回りに回転させると、管理用カムプレート５０は降下してケーシング着脱レバー６４はカムプレートピン６４ｂがケーシング着脱プロフィール５０ｆに押され、図１７において反時計回りに回転する。ケーシング着脱レバー６４の回転により、ケーシングロックアーム６３は下方に駆動されて筐体との係止が解除され、この後、上述した装着手順と逆の手順により筐体から取り外すことができる。
【図面の簡単な説明】
【図１】コインロッカー用錠装置を示す図で、（ａ）は正面図、（ｂ）は側面図である。
【図２】ケーシングの正面壁を取り除いた状態の正面図である。
【図３】コイン投入部を示す図で、図２のＡ３−Ａ３線断面図である。
【図４】コイン投入部の要部を示す図で、（ａ）は図３の部分拡大図、（ｂ）は（ａ）のＢ４方向矢視図、（ｃ）は（ｂ）のＣ４−Ｃ４線断面図である。
【図５】チェックレバーの動作を示す図で、図４（ａ）のＡ５−Ａ５線断面図である。
【図６】駆動エネルギ蓄積部を示す図で、（ａ）は重錘の配置示す図、（ｂ）はシリンダ錠の作動を示す図である。
【図７】送り部を示す図である。
【図８】１０セントギアの解除動作伝達部を示す図である。
【図９】解除動作伝達部を示す図で、（ａ）〜（ｄ）は２５セントギア、（ｅ）は５セントギア用を示す。
【図１０】シリンダ錠制御部を示す図である。
【図１１】図１０のＡ１１方向矢視図で、（ａ）はロック位置検出レバーによる係止状態を示す図、（ｂ）は退避状態を示す図である。
【図１２】施解錠部を示す図で、シリンダ錠をケーシング内方から見た図である。
【図１３】ドアセンサバー３９機構を示す図で、図１２のＡ１３方向要部拡大矢視図である。
【図１４】キーチェック部を示す断面図で、（ａ）は解錠キー未挿入状態を示す図、（ｂ）は解錠キーを挿入した状態を示す図である。
【図１５】クラッチ部を示す図で、（ａ）はクラッチアームの動作を示す図、（ｂ）はフロップレバーの動作を示す図でる。
【図１６】強制施解錠部を示す図である。
【図１７】強制施解錠部の動作を示す図である。
【図１８】日送り部を示す図である。
【図１９】値上げ、値下げ操作部を示す図である。
【図２０】値上げ操作部の動作を示す図である。
【図２１】値下げ操作部の動作を示す図である。
【符号の説明】
１　　　　コイン通過路
２　　　　検出回転軸
３　　　　ラチェットホイール
４　　　　送り部
５　　　　重錘
６　　　　アンクル
７　　　　ケーシング
８　　　　コイン投入部
９　　　　シャッタ部
１０　　　円弧状凹溝
１１　　　回転体
１２　　　チェックレバー
１２ａ　　摺接部
１３　　　　　　表示ドラム
１４　　　リセットレバー
１４ａ　　送り爪
１５　　　円板状カムプレート
１５ａ　　係止解除プロフィール
【図１】
2004046602.tif 000003
【図２】
2004046602.tif 000004
【図３】
2004046602.tif 000005
【図４】
2004046602.tif 000006
【図５】
2004046602.tif 000007
【図６】
2004046602.tif 000008
【図７】
2004046602.tif 000009
【図８】
2004046602.tif 000010
【図９】
2004046602.tif 000011
【図１０】
2004046602.tif 000012
【図１１】
2004046602.tif 000013
【図１２】
2004046602.tif 000014
【図１３】
2004046602.tif 000015
【図１４】
2004046602.tif 000016
【図１５】
2004046602.tif 000017
【図１６】
2004046602.tif 000018
【図１７】
2004046602.tif 000019
【図１８】
2004046602.tif 000020
【図１９】
2004046602.tif 000021
【図２０】
2004046602.tif 000022
【図２１】
2004046602.tif 000023